(57)【特許請求の範囲】
【請求項１】
継手本体に管差込み部及び係止部材を設け、管を前記継手本体の管差込み部に差し込むことにより、管が前記係止部材に係止される管継手の、前記管と係止部材との係止状態を解除して管を継手本体から引き抜く管継手の解除引抜き治具において、
前記解除引抜き治具は、前記継手本体に接続された前記管を所定の長さに切断し、切断した管の端部から嵌合して前記管と係止部材との間に挿入して前記係止部材を拡径して管との係止状態を解除する円環状の解除治具と、
切断した前記管の端部から管内に挿入して前記継手本体に接続された前記管の端面に係止し、前記管を引き抜く引抜き治具とを具備したことを特徴とする管継手の解除引抜き治具。
【請求項２】
前記解除治具は、その一端側に前記係止部材を拡径する爪を有していることを特徴とする請求項１記載の管継手の解除引抜き治具。
【請求項３】
前記引抜き治具は、前記解除治具の不使用時に、該解除治具を収納する解除治具収納部を有していることを特徴とする請求項１記載の管継手の解除引抜き治具。
【請求項４】
前記引抜き治具は、取手を有し、この取手に前記解除治具収納部を設けたことを特徴とする請求項３記載の管継手の解除引抜き治具。
【請求項５】
前記引抜き治具は、取手を有し、この取手に前記解除治具の爪部を含む筒状部が密に外嵌される嵌合部を設けたことを特徴とする請求項３記載の管継手の解除引抜き治具。
【請求項６】
継手本体に管差込み部及び係止部材を設け、管を前記継手本体の管差込み部に差し込むことにより、管が前記係止部材に係止される管継手の、前記管と係止部材との係止状態を解除して管を継手本体から引き抜く管継手の解除引抜き方法において、
前記管を所定の長さに切断し、円環状の解除引抜き治具を、切断した前記管の端部から嵌合して前記管と係止部材との間に挿入して前記係止部材を拡径して管との係止状態を解除し、
切断した前記管の端部から管内に引抜き治具を挿入して前記継手本体に接続された前記管の端面に係止し、前記管を引き抜くことを特徴とする管継手の解除引抜き方法。
【発明の詳細な説明】
【０００１】
【発明の属する技術分野】
この発明は、継手本体に差し込むことにより、継手本体に係止状態に接続されている管の係止状態を解除して引抜くための管継手の解除引抜き治具及び解除引抜き方法に関する。
【０００２】
【従来の技術】
住宅向け給水給湯配管として、近年、架橋ポリエチレン管やポリブテン管などの樹脂配管材が広く普及している。これら樹脂配管用の管継手は、真鍮からなる継手本体に袋ナットを締め込むことにより、配管を接続する方法が採られている。正しく施工されれば、漏水などの事故もなく優れた管継手であるが、袋ナットの締め付け量の過不足などにより漏水が発生する場合があった。
【０００３】
また、狭い作業スペースでの管の接続や取り外し作業は作業性が悪く、施工時間が掛かるという問題点があった。このような問題点に対し、現場作業者の熟練に頼ることなく、配管接続を容易に短時間で施工できる管継手が検討されてきた。その管継手は、継手本体に管の端末を差し込むだけで管の接続が完了する構造を有するものである。
【０００４】
図７は、従来の外止水方式のワンタッチ継手を示し、継手本体１にはその軸方向に内腔２が貫通して設けられている。継手本体１の前端部には内腔２より大径の管差込み部３が設けられ、その外側にはさらに大径の凹陥部４が設けられている。
【０００５】
凹陥部４の奥部にはＯリングからなる止水部材５が収納され、その外側にはワッシャ６を挟んで複数の係止爪７を有するＣリング状の係止部材８が挿入されている。この係止部材８は継手本体１に螺合固定された蓋部材９によって継手本体１に取り付けられている。管１０の端末には予めスリーブ部材１１が挿入されている。
【０００６】
このように構成されたワンタッチ継手は、管１０の端末に挿入したスリーブ部材１１を管差込み部３に差し込むことにより、管１０の外周面が止水部材５によって封止され、管１０の外周面に係止部材８の係止爪７が係止される。従って、管１０を継手本体１に差込み挿入するのみで接続可能であり、管１０の外周面が止水部材５によって封止されるとともに、係止爪７によって管１０の抜け出しを防止できる。
【０００７】
【発明が解決しようとする課題】
しかしながら、前述した管継手によれば、特別な熟練度を要求されることなく、短期間で接続が完了することができるが、一旦管１０を継手本体１に接続するとそれを取り外すことができず、継手本体１も含め交換する必要があった。実際の施工現場では、しばしば、継手本体１の接続箇所を間違えて配管する場合があり、そのやり直し作業は、継手本体１ごと交換するという極めて不経済な方法であった。
【０００８】
そこで、図８に示すように、円周の一部に切れ目を有する略Ｃ字状の解除治具１２に複数の爪１３を設け、この爪１３を蓋部材９の内周に設けた溝７ａに挿入することにより、継手本体１の内部にある係止部材８を拡径し、管１０の接続を解除できる管継手が開発されている。
【０００９】
また、管継手と解除治具とを一体化したものとしては、特開平１０−２８１３７４号公報が知られている。この管継手は、特に治具を必要とせず、管の着脱を容易に行うことができるが、管を切断せずに着脱できるため、マニュアルに違反して係止部材の傷跡が付いた管１０がそのまま再使用されることがあり、傷跡による密閉性能が低下するという問題があった。
【００１０】
この発明は、前記事情に着目してなされたもので、その目的とするところは、継手本体に対して管を間違えて接続しても、継手本体から管を取り外すことができると共に、係止傷が付いた管を再使用することを防止できる管継手の解除引抜き治具及び解除引抜き方法を提供することにある。
【００１１】
【課題を解決するための手段】
この発明は、前述した目的を達成するために、請求項１は、継手本体に管差込み部及び係止部材を設け、管を前記継手本体の管差込み部に差し込むことにより、管が前記係止部材に係止される管継手の、前記管と係止部材との係止状態を解除して管を継手本体から引き抜く管継手の解除引抜き治具において、前記解除引抜き治具は、前記継手本体に接続された前記管を所定の長さに切断し、切断した管の端部から嵌合して前記管と係止部材との間に挿入して前記係止部材を拡径して管との係止状態を解除する円環状の解除治具と、切断した前記管の端部から管内に挿入して前記継手本体に接続された前記管の端面に係止し、前記管を引き抜く引抜き治具とを具備したことを特徴とする。
【００１２】
請求項２は、請求項１の前記解除治具は、その一端側に前記係止部材を拡径する爪を有していることを特徴とする。
【００１３】
請求項３は、請求項１の前記引抜き治具は、前記解除治具の不使用時に、該解除治具を収納する解除治具収納部を有していることを特徴とする。
【００１４】
請求項４は、請求項３の前記引抜き治具は、取手を有し、この取手に前記解除治具収納部を設けたことを特徴とする。
【００１５】
請求項５は、請求項３の前記引抜き治具は、取手を有し、この取手に前記解除治具の爪部を含む筒状部が密に外嵌される嵌合部を設けたことを特徴とする。
請求項６は、継手本体に管差込み部及び係止部材を設け、管を前記継手本体の管差込み部に差し込むことにより、管が前記係止部材に係止される管継手の、前記管と係止部材との係止状態を解除して管を継手本体から引き抜く管継手の解除引抜き方法において、前記管を所定の長さに切断し、円環状の解除引抜き治具を、切断した前記管の端部から嵌合して前記管と係止部材との間に挿入して前記係止部材を拡径して管との係止状態を解除し、切断した前記管の端部から管内に引抜き治具を挿入して前記継手本体に接続された前記管の端面に係止し、前記管を引き抜くことを特徴とする。
【００１６】
請求項によれば、継手本体に接続された管を切断し、継手本体の外部から解除治具を管と係止部材との間に挿入することにより、係止部材が拡径して管との係止状態を解除される。この状態で、前記管を継手本体から残った管端部を引き抜くことができる。引く抜いた管は係止部材の傷跡が残っているため廃棄し、残った管の端末を継手本体に差し込むことにより、気密状態に接続することができる。
さらに、一旦接続された管を必ず切断しなければ解除治具を挿入させることができないので、再接続の場合は常に傷の無い管が挿入されることになり、継手の性能を落とすような要因を排除できる。また、持ち運び及び取り扱い時に解除治具の爪の変形等を防止できる。
【００１９】
【発明の実施の形態】
以下、この発明の各実施の形態を図面に基づいて説明する。
【００２０】
（第１の実施の形態）
図１は解除引抜き治具を分解して示し、（ａ）は引抜き治具の一部切欠した側面図、（ｂ）は解除治具の半縦断側面図、（ｃ）は同じく正面図、図２は解除治具と引抜き治具とを一体的に結合した状態の一部切欠した側面図である。
【００２１】
この発明の解除引抜き治具は、図１及び図２に示すように、解除治具２１と引抜き治具２２とから構成されている。解除治具２１は、前記管１０に嵌合できる内径を有する円環状の治具本体２３で、軸方向の一端部における外周面には雄ねじ部２４が設けられている。治具本体２３の前記一端部には周方向に等間隔に複数の爪２５が軸方向の突出して設けられている。これら爪２５は薄肉で、後述する管継手の蓋部材９の溝７ａの曲率に沿って円弧状に形成されている。
【００２２】
前記引抜き治具２２は、棒状で、その先端部には軸方向に対して直角に突出する引掛け部２６が一体に設けられている。引抜き治具２２の基端部には円錐状の取手２７が一体に設けられている。取手２７の基端部には凹陥部からなる解除治具収納部２８が設けられている。この解除治具収納部２８は、治具本体２３の雄ねじ部２４と螺合する雌ねじ部２９を有し、その奥部には治具本体２３から突出する爪２５を収納する凹部３０を有している。
【００２３】
従って、解除治具２１の不使用時には、治具本体２３の爪２５を解除治具収納部２８の凹部３０に収納し、雄ねじ部２４を雌ねじ部２９に螺合することにより、解除治具２１と引抜き治具２２とを一体化できる。しかも、解除治具２１と引抜き治具２２とを一体化することにより、解除治具２１の爪２５が解除治具収納部２８に収納されることから、持ち運び時や取り扱い時に爪２５が他の部材と干渉して変形させたり、破損させることを未然に防止できる。
【００２４】
前記解除治具２１の材質は、係止部材８に損傷を与える物でなければ特に限定されないが、継手本体１に挿入された管１０の外面を傷つけることなく、かつ、係止部材８を痛めることなくそれを拡径し、継手本体１の内部に挿入しやすくするためには、金属などよりも、樹脂などの適度な柔軟性を持った材料が好ましく、例えば、塩化ビニール、ナイロン、ポリエチレン、ポリプロピレンなどの成型品が好都合である。従って、前述のように、解除治具収納部２８を設けることが爪２５を保護することで重要なことである。
【００２５】
次に、図３及び図４に基づいて管継手の接続手順及び前述のように構成された解除引抜き治具を用いて管を引抜く方法を説明する。なお、図３及び図４において、継手本体及び管は、図７に示した従来例と同一構成であるため、同一番号を付して説明を省略する。
【００２６】
図３（ａ）に示すように、継手本体１に対して接続する管１０の端末に円筒状のスリーブ１１を挿入し、管１０の扁平を修正し、外径を円形に規制する。スリーブ１１が挿入された管１０を図３（ａ）の矢印方向Ａに継手本体１に挿入すると、図３（ｂ）に示すように、管１０は継手本体１の管差込み部３に接続される。
【００２７】
管１０を管差込み部３に差し込むことにより、管１０の外周面が止水部材５によって封止され、管１０の外周面に係止部材８の係止爪７が係止される。従って、管１０を継手本体１に差込み挿入するのみで接続可能である。管１０の外周面は止水部材５によって封止されるとともに、係止爪７によって管１０の抜け出しを防止できる。
【００２８】
ところで、施工現場で継手本体１に対して管１０を間違えて接続してしまった場合、管１０を接続し直す作業が必要となる。このとき、この実施形態では、図３（ｃ）に示すように、継手本体１の近傍で、パイプカッターによって管１０を切断する。そして、図３（ｅ）に示すように、管１０に対して円環状の解除治具２１を嵌合できるようにする。
【００２９】
そして、図３（ｅ）に示すように、管１０に対して解除治具２１を嵌合し、継手本体１の方向にスライドさせると、爪２５が管１０と係止部材８との間に挿入され、係止部材８が拡径される。従って、管１０の外周面に対する係止爪７の係止状態が解除される。
【００３０】
次に、図４（ａ）に示すように、継手本体１の外部から引抜き治具２２の先端部を管１０の内部、実際にはスリーブ１１の内部に挿入し、引掛け部２６をスリーブ１１の端面に係止させる。この状態で、引抜き治具２２の取手２７を持って引抜き治具２２を継手本体１の外方に引っ張ると、図４（ｂ）に示すように、スリーブ１１が挿入された管１０は継手本体１から引抜かれる。
【００３１】
継手本体１から引抜かれたスリーブ１１付きの管１０は、その外周面には係止部材８との係止によって傷跡が残っているため、廃棄されるが、スリーブ１１は再使用可能である。そこで、図４（ｃ）に示すように、引抜き治具２２の先端部をスリーブ１１の反対側から挿入し、引掛け部２６をスリーブ１１の端面に係止して管１０から引抜くことができる。このとき、管１０に予め挿入されたスリーブ１１をラジオペンチやドライバーなどを用いて、無理に抜こうとすると、スリーブ１１に損傷を与え、破損や漏水の原因となり管継手の密閉性能を低下させることになるが、引抜き治具２２を用いることにより、管継手の性能を落とすような要因を排除できるのである。
【００３２】
そして、切り落として残った管１０の端末に前述と同様にスリーブ１１を挿入して図３（ａ）（ｂ）の手順で継手本体１の管差込み部３に管１０を差し込むことにより、管１０の外周面に傷跡のない部分を接続することができる。
【００３３】
このように、解除治具２１を円環状に形成することにより、一旦接続された管１０を切り落とし、端部を形成させなければ解除治具１０を挿入させることができない。従って、再接続の場合は常に傷の無い管１０が挿入されることになり、管継手の性能を落とすような要因を排除できるのである。
【００３４】
（第２の実施形態）
図５及び図６は解除引抜き治具を示し、図５（ａ）は引抜き治具の側面図、（ｂ）は解除治具の半縦断側面図、（ｃ）は同じく正面図、図６（ａ）は解除治具と引抜き治具とを分解した一部切欠した側面図、（ｂ）は解除治具と引抜き治具とを一体的に結合した状態の一部切欠した側面図である。
【００３５】
本実施形態の解除引抜き治具は、図５及び図６に示すように、解除治具３１と引抜き治具３２とから構成されている。解除治具３１は、管１０に嵌合できる内径を有する円環状の治具本体３３で、軸方向の一端面には凹陥部３４が設けられ、この内周面には雌ねじ部３４ａが設けられている。治具本体３３の前記一端部には周方向に等間隔に複数の爪３５が軸方向の突出して設けられている。これら爪３５は薄肉で、治具本体２１の内周面の曲率に沿って円弧状に形成されている。
【００３６】
前記引抜き治具３２は、棒状で、その先端部には軸方向に対して直角に突出する引掛け部３６が一体に設けられている。引抜き治具３２の基端部には略円柱状の取手３７が一体に設けられている。取手３７には解除治具３１の凹陥部３４と嵌合可能な大径円柱部３８が設けられ、この大径円柱部３８の外周面には雄ねじ部３８ａが設けられている。大径円柱部３８の隣側には解除治具３１の内径と密に嵌合する小径円柱部３９が設けられている。
【００３７】
従って、解除治具３１の不使用時には、解除治具３１を引抜き治具３２の先端部側から引抜き治具３２に嵌合し、解除治具３１の雌ねじ部３４ａを引抜き治具３２の雄ねじ部３８ａに螺合することにより、解除治具３１と引抜き治具３２とを一体化できる。しかも、解除治具３１と引抜き治具３２とを一体化することにより、解除治具３１の爪３５が引抜き治具３２の小径円柱部３９に密着状態となる。従って、解除引抜き治具の持ち運び時や取り扱い時に爪３５を他の部材に干渉させて変形させたり、破損させることを未然に防止できる。
【００３８】
このように、解除引抜き治具は、継手本体１から管１０の接続解除から再接続までの一連の作業においてセットで用いられることから、一体化しておくことが好ましい。この一体化させる場合、解除治具３１の爪３５を保護するように一体化させることが望ましい。前述のように爪３５は、継手本体３１の内部の狭い空間に挿入されるため、本治具を持ち運び時などに傷や変形などをすると使用不能になるからである。
【００３９】
なお、前記実施形態においては、引抜き治具の先端部に軸心に対して直角に片側へ突出する引掛け部を設けたが、引抜き治具の先端部に軸心と同軸に傘状に突出する引掛け部を設けてもよい。
【００４０】
【発明の効果】
以上説明したように、この発明によれば、管を継手本体の係止部材に係止して接続する管継手において、継手本体に誤って接続された管の解除、再接続を極めて作業性良く、容易に行うことができる。
【００４１】
また、解除引抜き方法によれば、一旦接続された管を切り落とし、端部を形成してから管を引抜くため、再接続の場合は常に傷の無い管が挿入されることになり、管継手の性能を落とすような要因を排除できる。
【図面の簡単な説明】
【図１】この発明の第１の実施形態の解除引抜き治具を分解して示し、（ａ）は引抜き治具の一部切欠した側面図、（ｂ）は解除治具の半縦断側面図、（ｃ）は同じく正面図。
【図２】同実施形態を示し、解除治具と引抜き治具とを一体的に結合した状態の一部切欠した側面図。
【図３】同実施形態示し、（ａ）〜（ｅ）は作用を説明するための半縦断側面図。
【図４】同実施形態示し、（ａ）〜（ｃ）は作用を説明するための半縦断側面図。
【図５】この発明の第２の実施形態の解除引抜き治具を分解して示し、（ａ）は引抜き治具の一部切欠した側面図、（ｂ）は解除治具の半縦断側面図、（ｃ）は同じく正面図。
【図６】同実施形態を示し、（ａ）は解除治具と引抜き治具とを分解した状態の一部切欠した側面図、（ｂ）は解除治具と引抜き治具とを一体的に結合した状態の一部切欠した側面図。
【図７】従来のワンタッチ継手を示し、（ａ）は継手本体の半縦断側面図、（ｂ）は同じく正面図、（ｃ）は管の半縦断側面図。
【図８】従来のワンタッチ継手を示し、（ａ）は解除治具の半縦断側面図、（ｂ）は同じく正面図。
【符号の説明】
１…継手本体
３…管差込み部
８…係止部材
１０…管
１１…スリーブ
２１…解除治具
２２…引抜き治具
２５…爪
【図１】
0004057310.tif 000002
【図２】
0004057310.tif 000003
【図３】
0004057310.tif 000004
【図４】
0004057310.tif 000005
【図５】
0004057310.tif 000006
【図６】
0004057310.tif 000007
【図７】
0004057310.tif 000008
【図８】
0004057310.tif 000009